(57)【要約】【課題】石鹸の保管時に石鹸の軟化を防ぎ、必要以上に使いすぎないようにする。【解決手段】石鹸を載置して保管しておく為の石鹸置きにおいて、載置台に桐材を用いる。【選択図】図１
2010088752.tif 000002
【特許請求の範囲】
【請求項１】
一般に使用する石鹸を載置して保管しておく為の石鹸置きにおいて、載置台に桐材を用いることを特徴とする石鹸置き。
【請求項２】
載置台の下面に脚を設けることを特徴とする請求項1に記載の石鹸置き。
【請求項３】
載置台の下面に防水塗装を施すことを特徴とする請求項1に記載の石鹸置き。
【発明の詳細な説明】
【技術分野】
【０００１】
本発明は、主に石鹸を載置して保管する石鹸置きに関する。
【背景技術】
【０００２】
従来の石鹸置きは、主に樹脂製であった為水分が溜まり易かった。また、水はけに配慮して石鹸の載置面に溝を形成したり、或いは、複数の排水溝を穿孔したものがあったが、それでも樹脂と石鹸の接触面に残った水分により軟化した状態の石鹸となり、必要以上に使いすぎて消耗を早まらせていた。
【０００３】
上記の課題を解決する為に特開2005-237402に記載の如く、長方形状の板を長手方向と直角にU字形に曲げ、２つの平面の１つを舟型に曲げてできる凹部を固形石鹸が竪方向に収まるようにして固形石鹸と本石鹸置きとの接触面積を小さくするとともに、凹部の底を先端部に下がり傾斜にして、石鹸から流れ落ちた水を先端部の開孔部から常に排出されるようにして固形石鹸が自然乾燥されるようにした。とする技術を施したものがあった。
【発明の開示】
【発明が解決しようとする課題】
【０００４】
しかし、前述の如く形成された石鹸置きであっても使用されている材料が樹脂であることが容易に想像される為、やはり石鹸との接触面に残る水分を排除することは不可能である。
【０００５】
本発明は以上のような問題を解決する為になされたもので、使用した石鹸を本発明における石鹸置きに置くことにより桐の載置台が石鹸に付着した水分を吸収する。また、植物素材を使用することにより、鉱物資源の使用を抑制し、更には二酸化炭素の排出削減に寄与することをも可能とすることを目的とするものである。
【課題を解決するための手段】
【０００６】
本発明は、上記目的を達成する為の第一の課題解決手段として、一般的に使用される石鹸を載置して保管しておく為の石鹸置きにおいて、載置台に桐材を用いる。
【０００７】
更に、載置台の下面に脚を設ける
【０００８】
更に、載置台の下面に防水塗装を施す。
【０００９】
上記第一の課題解決手段による作用は次のとおりである。即ち、使用した石鹸を本発明における石鹸置きに置くことにより桐の載置台が石鹸に付着した水分を吸収する。しかも、複数の使用者により断続的に使用される状況であっても、実際は、使用されずに置いたままの状態の時間のほうが長く、その時間のうちに石鹸に付着した水分は桐が吸収する。
【００１０】
更に、桐には調湿機能があり、吸収した水分を周囲の湿度に応じて放出するので、使用する場所の換気をよくすることにより、容易に桐も乾燥する。
【００１１】
更に、桐にはタンニンが多量に含まれているのでカビなどの繁殖を抑制する作用を有する。
【００１２】
しかし、載置台を直接カウンター等に置いたままでは、載置台の裏面とカウンター等の間に水分が挟まり、裏面からも水分を吸収してしまい、桐材の吸水力が減少するので裏面に脚を設ける。
【００１３】
更に、載置台の裏面に脚を設けると、その部分に空間が形成されるが、蒸気や水しぶき等の浸入により裏面からも水分を吸収してしまい、桐材の吸水力が減少するので裏面に防水塗装を施す。
【発明の効果】
【００１４】
本発明は以上に説明したように構成した結果、以下に示すような効果が得られる。
【００１５】
通常、石鹸を使用するときは、水、又はお湯等で濡らして使用するもので、その特性上表面が湿潤することによりその固形分が軟化して溶出する。成分についてはここでは述べないが、溶出した石鹸を洗浄のために使用するのであり、主に体の洗浄や洗顔、洗髪、あるいは衣類の洗濯等日常生活において広範囲に使用され欠かせないものであるが、使用後は次回の使用まで石鹸置きに載置して保管される。
【００１６】
しかし、一般的に、使用後の石鹸は濡れたままである。即ち、前述の如く固形分が溶出しやすい状態のまま放置されるのが大半で、表面に付着した水分の一部は固形分に浸透して軟化を促進させるが、乾燥とともに再び固化する。しかし石鹸置きとの接触面においては水分が滞留しやすく最も軟化する部位であり軟化した石鹸が乾燥する事無く膨潤しやすい部位である。
【００１７】
更に、次回使用する際は、膨潤した部位とともに取り上げるのであるが膨潤してゲル化した部位は必要以上に対象物に付着するので、使いすぎが促進され石鹸の短寿命を招くことになる。
【００１８】
本発明は上記のごとき現象を鑑みてなされたもので、本発明にかかる石鹸置きに石鹸を載置して保管すれば、桐材の吸湿性により石鹸との接触面全体の水分を吸収するので、次回に使用する際には、ゲル化する事無く適切な使用量を手に取ることが可能となる効果を有する。
【００１９】
更に、桐材に備わる調湿性により、周囲の乾燥度に応じて一度吸収した水分を放出するので、桐材が湿ってしまうこともないので載置台の長期の使用も可能となる効果を有する。
【００２０】
更に、載置台を直接床面やカウンター等に置くとその接触面からも水分を吸収するので脚を設け、脚を設けたことにより形成された空間に蒸気や水しぶきが浸入し、裏面からも水分を吸収してしまうと、載置面の吸収力が減少するので防水塗装を施したことにより、石鹸との接触面からの水分吸収と裏面の防水、および他の面による水分放出により保管中の石鹸の恒久的な乾燥を可能としたので、石鹸の適切な使用が可能となる効果を発揮する。
【００２１】
また、桐は比較的早く成長するので、鉱物資源を使用するよりも、安定した資材供給が可能であり、鉱物資源の使用を抑制し、更には二酸化炭素の排出削減に寄与する効果を有するものである。
【発明を実施するための最良の形態】
【００２２】
以下、図面を参照しながら本発明の実施形態について詳しく説明する。
【００２３】
本発明にかかる石鹸置きの要部は図１に示すように、載置台１と脚２による構成から
なる。以下、詳細を説明する。
【００２４】
図２は、載置台１の裏面１Ｂを示すもので、防水塗装Ｂを施す。使用する塗料は特に指定するものではないが、浴室等で使用する場合を想定すると人体に有害な物質が析出しないものが望ましい。
【００２５】
更に、脚２を取り付けるための溝１Ｃを形成し短冊状の脚２を取り付ける形態を表しているが、この形態に限定するものではない。浴室等で使用する場合を想定すると人体に有害な物質が析出しないもので、耐水性を有する材料を使用する形態が好ましい。
【００２６】
以上、本実施形態によれば、使用した石鹸を本発明における石鹸置きに置くことにより桐の載置台が石鹸に付着した水分を吸収するので、石鹸を適量使用可能とし、快適な使用状態を維持することを可能とした。また、植物素材を使用することにより、有限な鉱物資源の浪費を抑制し、更には二酸化炭素の排出削減に寄与することをも可能とする効果が得られる。
【図面の簡単な説明】
【００２７】
【図１】本発明における石鹸置きの実施形態を示す斜視図
【図２】本発明における石鹸置きの実施形態の裏面を示す斜視図
【符号の説明】
【００２８】
１    載置台
１Ａ  載置面
１Ｂ  裏面
１Ｃ  溝
Ｂ    防水塗料
２    脚
【図１】
2010088752.tif 000003
【図２】
2010088752.tif 000004